(57)【特許請求の範囲】
【請求項１】
窓枠のたて枠と窓枠の開口を開閉する障子の外側面間に、その障子を平行移動可能に支持する平行突き出しアームを設け、前記窓枠のたて枠内面に上下方向に延びるプレートガイドを形成し、そのプレートガイドに沿って移動自在に支持されたスライドプレートと前記平行突き出しアームとの間に、スライドプレートの直線運動を平行突き出しアームの開閉運動に変換する変換機構を設けた平行突き出し窓において、前記変換機構が平行突き出しアームに設けられた障子側ブラケットにガイド溝を形成し、前記スライドプレートに設けた突出部を前記ガイド溝にスライド自在に嵌合し、前記ガイド溝には、障子の閉鎖状態で前記突出部が嵌合するほぼ垂直のロック溝部と、そのロック溝部の下端に連続して屋内側に向けて傾斜する傾斜溝部とを設けた構成から成る平行突き出しアームを有する平行突き出し窓。
【請求項２】
前記平行突き出しアームが、窓枠のたて枠内面に取付けられた枠側ブラケットと、障子の外側面に取付けられた障子側ブラケットと、枠側ブラケットの上部に形成された縦長孔に沿って一端部がスライド自在に連結され、他端部が障子側ブラケットの下端部に連結された第１アームと、その第１アームに対して交差し、その交差部が第１アームに連結されていると共に、一端部が障子側ブラケットの上部に形成された縦長孔に沿ってスライド自在に連結され、他端部が枠側ブラケットの下端部に連結された第２アームとから成る請求項１に記載の平行突き出し窓。
【請求項３】
前記平行突き出しアームが、窓枠のたて枠内面に取付けられた枠側ブラケットと、障子の外側面に取付けられた障子側ブラケットと、枠側ブラケットの下端部に形成された縦長孔に一端部がスライド自在に連結され、他端部が障子側ブラケットに連結された第１アームと、枠側ブラケットの上端部に一端部が連結され、他端部が第１アームの長さ方向中央部に連結された第２アームとから成る請求項１に記載の平行突き出し窓。
【請求項４】
前記突出部が回転可能なガイドローラから成る請求項１乃至３のいずれかに記載の平行突き出し窓。
【発明の詳細な説明】
【０００１】
【発明の属する技術分野】
この発明は、窓枠の開口を平行移動可能に支持された障子によって開閉させるようにした平行突き出し窓に関するものである。
【０００２】
【従来の技術】
窓枠の内側に設けられた障子の両側上下部を平行突き出しアームで支持し、窓枠のたて枠内面には上下方向に長いプレートガイドを設け、そのプレートガイドに沿って移動自在に支持されたスライドプレートと前記平行突き出しアームとの間に、スライドプレートの直線運動を平行突き出しアームの開閉運動に変換する変換機構を設け、前記スライドプレートの昇降動により障子を開閉させるようにした平行突き出し窓は従来から知られている。
【０００３】
【発明が解決しようとする課題】
ところで、上記平行突き出し窓において、平行突き出しアームによって障子を単に支持する構成であると、屋外から障子が開放されるおそれがある。そこで、従来の平行突き出し窓においては、障子を支持する平行突き出しアームとは別にロック機構を設け、そのロック機構によって障子を閉鎖状態においてロックするようにしている。このため、部品点数が多く、平行突き出し窓の組立てに手間がかかると共に、コストも高いという不都合があった。
【０００４】
この発明の課題は、部品点数の少ない組立ての容易なコストの安い平行突き出し窓を提供することである。
【０００５】
【課題を解決するための手段】
上記の課題を解決するために、この発明においては、窓枠のたて枠と窓枠の開口を開閉する障子の外側面間に、その障子を平行移動可能に支持する平行突き出しアームを設け、前記窓枠のたて枠内面に上下方向に延びるプレートガイドを形成し、そのプレートガイドに沿って移動自在に支持されたスライドプレートと前記平行突き出しアームとの間に、スライドプレートの直線運動を平行突き出しアームの開閉運動に変換する変換機構を設けた平行突き出し窓において、前記変換機構が平行突き出しアームに設けられた障子側ブラケットにガイド溝を形成し、前記スライドプレートに設けた突出部を前記ガイド溝にスライド自在に嵌合し、前記ガイド溝には、障子の閉鎖状態で前記突出部が嵌合するほぼ垂直のロック溝部と、そのロック溝部の下端に連続して屋内側に向けて傾斜する傾斜溝部とを設けた構成から成る平行突き出しアームを有する平行突き出し窓としたのである。
【０００６】
ここで、障子を開閉自在に支持する平行突き出しアームは、窓枠のたて枠内面に取付けられた枠側ブラケットと、障子の外側面に取付けられた障子側ブラケットと、枠側ブラケットの上部に形成された縦長孔に沿って一端部がスライド自在に連結され、他端部が障子側ブラケットの下端部に連結された第１アームと、その第１アームに対して交差し、その交差部が第１アームに連結されていると共に、一端部が障子側ブラケットの上部に形成された縦長孔に沿ってスライド自在に連結され、他端部が枠側ブラケットの下端部に連結された第２アームとから成るものであってもよい。あるいは、窓枠のたて枠内面に取付けられた枠側ブラケットと、障子の外側面に取付けられた障子側ブラケットと、枠側ブラケットの下端部に形成された縦長孔に一端部がスライド自在に連結され、他端部が障子側ブラケットに連結された第１アームと、枠側ブラケットの上端部に一端部が連結され、他端部が第１アームの長さ方向中央部に連結された第２アームとから成るものであってもよい。
【０００７】
上記のように、障子を開閉自在に支持する平行突き出しアームの障子側ブラケットにガイド溝を設け、そのガイド溝にロック溝部と傾斜溝部を設け、そのガイド溝にスライドプレートに設けられた突出部をスライド自在に嵌合することにより、スライドプレートを移動して突出部をロック溝部に嵌合させることにより、障子を閉鎖状態とすることができると共に、ロック溝部と突出部の係合によって障子を閉鎖状態にロックすることができる。
【０００８】
このため、ロック機構を別に設ける必要がなく、その分、部品点数が少なくなり、平行突き出し窓の構成の簡素化と組立ての容易化とを図ることができる。
【０００９】
ここで、突出部として回転可能なガイドローラを用いると、ガイド溝に沿って突出部をスムーズに移動させることができ、障子の開閉を円滑に行なわせることができる。
【００１０】
【発明の実施の形態】
以下、この発明の実施の形態を図面に基づいて説明する。図１に示すように、窓枠１の内側開口２には、その開口２を開閉する障子３が設けられている。
【００１１】
図６に示すように、窓枠１のたて枠１ａの内面には上下方向に長く延びる溝から成るプレートガイド４が形成され、そのプレートガイド４内にスライドプレート５に設けられたスライドガイド６がスライド自在に嵌合されている。
【００１２】
図１に示すように、スライドプレート５は上下方向に長く延び、前記たて枠１ａの下部に設けられたハンドル操作装置１０によりプレートガイド４に沿って移動される。
【００１３】
図３に示すように、ハンドル操作装置１０は、たて枠１ａの屋内側面の下部に設けられたギヤケース１１を有し、そのギヤケース１１にハンドル１２を回転自在に設け、ギヤケース１１内には上記ハンドル１２の操作によって回転されるギヤ１３を設けている。また、窓枠１の下枠１１上に両端が左右のたて枠１ａの内面に対向する連動軸１４を設け、その連動軸１４の両端部にレバー１５を取付け、一方のレバー１５の端部と前記ギヤ１３の外周部とに第１リンク１６の両端部を連結して、ギヤ１３の回転を連動軸１４に伝えるようにしている。
【００１４】
さらに、連動軸１４の両端部に取付けられた前記各レバー１５の先端部に第２リンク１７の一端部を連結し、各第２リンク１７の他端部に連結されたブラケット１８をスライドプレート５に取付けて、連動軸１４の回転によりスライドプレート５を移動させるようにしている。
【００１５】
図１および図２に示すように、障子３の両側上下部には平行突き出しアーム３０が設けられ、その平行突き出しアーム３０によって障子３が平行移動可能に支持されている。
【００１６】
平行突き出しアーム３０は、窓枠１のたて枠１ａ内面に取付けられる枠側ブラケット３１と、障子３の外側面に取付けられる障子側ブラケット３２と、その両ブラケット３１、３２を連結するＸ字アーム３３とから成る。
【００１７】
図４に示すように、Ｘ字アーム３３は、第１アーム３３ａと第２アーム３３ｂの交差部をピン３４によって開閉自在に連結しており、第１アーム３３ａの一端部はピン３５を介して枠側ブラケット３１の上端部に形成された縦長孔３６に沿ってスライド自在に連結され、他端部はピン３７を介して障子側ブラケット３２の下端部に連結されている。一方、第２アーム３３ｂの一端部は、ピン３８を介して障子側ブラケット３２の上端部に形成された縦長孔３９に沿ってスライド自在に連結され、他端部はピン４０を介して枠側ブラケット３１の下端部に連結されている。
【００１８】
平行突き出しアーム３０とスライドプレート５との間には、スライドプレート５の直線運動を平行突き出しアーム３０のＸ字アーム３３開閉運動に変換する変換機構５０が設けられている。
【００１９】
図３に示すように、変換機構５０は、障子側ブラケット３２の下端部にローラガイド５１を取付け、そのローラガイド５１にガイド溝５２を設け、そのガイド溝５２にほぼ垂直のロック溝部５２ａと、その下端に連続して屋内側に向けて傾斜溝部５２ｂとを形成し、一方、スライドプレート５には突出部５３を設け、その突出部５３をガイド溝５２内にスライド自在に嵌合している。
【００２０】
上記の構成から成る変換機構５０は、障子３が閉鎖された状態において、突出部５３がロック溝部５２ａ内に嵌合し、そのロック溝部５２ａに対する突出部５３の係合によって障子３を閉鎖状態でロックするようになっている。
【００２１】
ここで、突出部５３はピンから成るものであってもよく、あるいは、回転可能に支持されたガイドローラから成るものであってもよい。実施の形態ではガイドローラを用いるようにしており、そのガイドローラを採用することによって、ガイド溝５２に沿って突出部５３を円滑に移動させることができる。
【００２２】
実施の形態で示す平行突き出し窓は上記の構造から成り、図１および図３は、障子３を閉鎖した状態を示す。その閉鎖状態において、変換機構５０の突出部５３はガイド溝５２のロック溝部５２ａに嵌合し、そのロック溝部５２ａと突出部５３の係合によって障子３はロックされ、屋外側からいたずらに開放されるが防止される。
【００２３】
上記のような障子３の閉鎖状態において、図３に示すハンドル操作装置１０のハンドル１２を操作してギヤケース１１内のギヤ１３を同図の矢印方向に回転させると、その回転運動は変換機構５０を介してスライドプレート５の直線運動に変換され、スライドプレート５が下降する。そのスライドプレート５の下降により、突出部５３はローラガイド５１に形成されたガイド溝５２に沿って移動する。突出部５３は下降初期においてほぼ垂直のロック溝部５２ａに沿って移動するため障子３は開放することはない。突出部５３がロック溝部５２ａの下端に連続する傾斜溝部５２ｂに沿って移動し始めると、その傾斜溝部５２ｂの底面が突出部５３によって押圧されるため、障子３に屋外方向への押圧力が付与され、障子３が外方向に向けて移動する。
【００２４】
このとき、第１アーム３３ａと第２アーム３３ｂが開放すると共に、各アーム３３ａ、３３ｂの一端部は枠側ブラケット３１および障子側ブラケット３２の縦長孔３６、３９に沿って下降するため、障子３は屋外側に向けて平行移動する。
【００２５】
図２および図４は、障子３を全開した状態を示し、突出部５３は傾斜溝部５２ｂに嵌合する状態に保持されている。
【００２６】
図４に示す障子３の開放状態からハンドル１２を回転操作して、ギヤ１３を同図の矢印方向に回転させると、スライドプレート５が上昇し、そのスライドプレート５に設けられた突出部５３がローラガイド５１に形成されたガイド溝５２の傾斜溝部５２ｂに沿って上方向に移動し、その移動によって障子３が屋内側に向けて平行移動する。
【００２７】
上記突出部５３が傾斜溝部５２ｂの上端に連続するロック溝部５２ａに嵌合すると、障子３は図１に示すように全閉状態にされると共に、ロック溝部５２ａと突出部５３の係合によって障子３は全閉状態でロックされる。
【００２８】
このように、障子３を平行移動可能に支持する平行突き出しアーム３０の障子側ブラケット３２にスライドプレート５の突出部５３が挿入されるガイド溝５２を形成し、そのガイド溝５２にほぼ垂直のロック溝部５２ａと、その下端に連続して屋内側に向けて傾斜する傾斜溝部５２ｂとを設けることにより、スライドプレート５の上方向への移動によって障子３を閉鎖させることができると共に、閉鎖位置でロックすることができる。このため、平行突き出しアーム３０とは別にロック機構を設ける必要がなくなり、その分、部品点数が少なくなり、組立ての容易なコストの安い平行突き出し窓を提供することができる。
【００２９】
図２に示す実施の形態では、障子３を支持する平行突き出しアーム３０として、枠側ブラケット３１と障子側ブラケット３２とを第１アーム３３ａおよび第２アーム３３ｂから成るＸ字アーム３３で連結したものを示したが、平行突き出しアーム３０はこれに限定されるものではない。
【００３０】
例えば、図７（Ｉ）、（II）に示すように、枠側ブラケット４１の下端部に縦長孔４２を形成し、その縦長孔４２に第１アーム４３の一端部に設けられたピン４４をスライド自在に嵌合し、第１アーム４３の他端部を障子側ブラケット４５の上端部にピン４６を介して連結し、前記枠側ブラケット４１の上端部に第２アーム４７の一端部をピン４８で連結し、その第２アーム４７の他端部を第１アーム４３長さ方向中央部にピン４９で連結したものであってもよい。
【００３１】
上記平行突き出しアーム３０においても、障子側ブラケット４５にローラガイド５１を取付け、そのローラガイド５１にスライドプレート５の突出部５３が挿入されるガイド溝５２を形成し、そのガイド溝５２にほぼ垂直のロック溝部５２ａと、その下端に連続して屋内側に傾斜する傾斜溝部５２ｂを設けるようにする。
【００３２】
【発明の効果】
以上のように、この発明においては、障子を平行移動可能に支持する平行突き出しアームの障子側ブラケットにスライドプレートに設けられた突出部が挿入されるガイド溝を設け、そのガイド溝にほぼ垂直のロック溝部と、その下端に連続する傾斜溝部とを設けたことにより、前記ロック溝部に対する突出部の係合によって障子を閉鎖状態にロックすることができ、平行突き出しアームとは別にロック機構を設ける必要がなく、その分、部品点数が減り、組立ての容易なコストの安い平行突き出し窓を提供することができる。
【００３３】
また、突出部として回転自在のガイドローラを採用することにより、突出部の移動時における移動抵抗が、障子をスムーズに開閉させることができる。
【図面の簡単な説明】
【図１】この発明に係る平行突き出し窓の実施の形態を示す横断正面図
【図２】図１に示す障子を開放させた状態の縦断正面図
【図３】図１の下部を拡大して示す縦断正面図
【図４】図２の下部を拡大して示す縦断正面図
【図５】図３のＶ−Ｖ線に沿った断面図
【図６】図４のVI−VI線に沿った断面図
【図７】（Ｉ）は平行突き出しアームの他の例を示す一部切欠正面図、（II）は平行突き出しアームの開放状態を示す一部切欠正面図
【符号の説明】
１  窓枠
１ａ  たて枠
２  開口
３  障子
４  プレートガイド
５  スライドプレート
３０  平行突き出しアーム
３１  枠側ブラケット
３２  障子側ブラケット
３３  Ｘ字アーム
３３ａ  第１アーム
３３ｂ  第２アーム
３６  縦長孔
３９  縦長孔
４１  枠側ブラケット
４２  縦長孔
４３  第１アーム
４５  障子側アーム
４７  第２アーム
５０  変換機構
５２  ガイド溝
５２ａ  ロック溝部
５２ｂ  傾斜溝部
５３  突出部
【図１】
0003815971.tif 000002
【図２】
0003815971.tif 000003
【図３】
0003815971.tif 000004
【図４】
0003815971.tif 000005
【図５】
0003815971.tif 000006
【図６】
0003815971.tif 000007
【図７】
0003815971.tif 000008